(57)【要約】      （修正有）【課題】扉の内面に対して容器（トレイ）の取り付けを正確且つ容易に行うことができ、多種多様な貯蔵物を収納することが可能な冷蔵庫を提供する。【解決手段】冷蔵庫１には貯蔵室である冷蔵室３の前面を開閉する扉３ａの内面に貯蔵物を収納する収納部１０が設けられる。収納部１０は、上下方向に貫通する大孔部及び小孔部を有するフレーム部１２と、フレーム部１２の大孔部及び小孔部に嵌合してフレーム部１２によって支持されるとともにフレーム部１２に対して着脱可能なトレイ２０と、を備える。【選択図】図１
2016050698.tif 000002
【特許請求の範囲】
【請求項１】
貯蔵室の前面を開閉する扉の内面に貯蔵物を収納する収納部が設けられた冷蔵庫において、
前記収納部が、上下方向に貫通する孔部を有するフレーム部と、前記フレーム部の前記孔部に嵌合して前記フレーム部によって支持されるとともに前記フレーム部に対して着脱可能なトレイと、を備えることを特徴とする冷蔵庫。
【請求項２】
前記トレイは、前記フレーム部と係合するための係合部を備えることを特徴とする請求項１に記載の冷蔵庫。
【請求項３】
前記トレイが、前記フレーム部の前記孔部に嵌合する主トレイと、前記主トレイに重ねて取り付けられる副トレイと、を含むことを特徴とする請求項１または請求項２に記載の冷蔵庫。
【請求項４】
前記主トレイが、前記副トレイを支持するための支持部を有するとともに、前記支持部を介して前記フレーム部と係合することを特徴とする請求項３に記載の冷蔵庫。
【請求項５】
前記副トレイが、貯蔵物としての鶏卵を保持するために形成された複数の円形穴を備えることを特徴とする請求項３または請求項４に記載の冷蔵庫。
【発明の詳細な説明】
【技術分野】
【０００１】
本発明は冷蔵庫に関する。
【背景技術】
【０００２】
従来の冷蔵庫が特許文献１〜３に開示されている。特許文献１に記載の冷蔵庫は貯蔵室の前面を開閉する扉の内面に貯蔵物を収納するポケットが設けられる。ポケットは底穴を有するとともにその底穴を開閉するための底板を備える。上方のポケットの底穴を底板によって開放すると、その底穴を通して下方のポケットに比較的背の高い貯蔵物を収納できるようになる。
【０００３】
特許文献２及び３に記載の冷蔵庫は扉の内面に対してポケット（容器）が着脱可能になっている。各々の冷蔵庫は扉の内面に係止突起またはガイド枠を備え、ポケットの外面に係止溝または支持部を備える。係止突起と係止溝とを係合させる、またはガイド枠と支持部とを係合させることにより、扉に対してポケットを取り付けることができる。
【先行技術文献】
【特許文献】
【０００４】
【特許文献１】特開２００７−４０６６８号公報
【特許文献２】特開平８−３０３９３９号公報
【特許文献３】特開２０１０−１８５６２８号公報
【発明の概要】
【発明が解決しようとする課題】
【０００５】
しかしながら、上記特許文献１に記載の冷蔵庫はポケットが扉に固定されているので、ポケット自体が貯蔵物の収納の邪魔になる虞があった。これにより、所望の貯蔵物を扉の内面に収納することができないという課題があった。
【０００６】
また、上記特許文献２及び３に記載の冷蔵庫は係止突起と係止溝との係合、またはガイド枠と支持部との係合を容易に行うことができない虞があった。これにより、扉へのポケットの取り付けが面倒になるとともに、正確に取り付けることができない可能性もあった。したがって、ポケットが落下する虞があることが懸念された。
【０００７】
本発明は上記の点に鑑みなされたものであり、扉の内面に対して容器（トレイ）の取り付けを正確且つ容易に行うことができ、多種多様な貯蔵物を収納することが可能な冷蔵庫を提供することを目的とする。
【課題を解決するための手段】
【０００８】
上記の課題を解決するため、本発明は、貯蔵室の前面を開閉する扉の内面に貯蔵物を収納する収納部が設けられた冷蔵庫において、前記収納部が、上下方向に貫通する孔部を有するフレーム部と、前記フレーム部の前記孔部に嵌合して前記フレーム部によって支持されるとともに前記フレーム部に対して着脱可能なトレイと、を備えることを特徴とする。
【０００９】
また、上記構成の冷蔵庫において、前記トレイは、前記フレーム部と係合するための係合部を備えることを特徴とする。
【００１０】
また、上記構成の冷蔵庫において、前記トレイが、前記フレーム部の前記孔部に嵌合する主トレイと、前記主トレイに重ねて取り付けられる副トレイと、を含むことを特徴とする。
【００１１】
また、上記構成の冷蔵庫において、前記主トレイが、前記副トレイを支持するための支持部を有するとともに、前記支持部を介して前記フレーム部と係合することを特徴とする。
【００１２】
また、上記構成の冷蔵庫において、前記副トレイが、貯蔵物としての鶏卵を保持するために形成された複数の円形穴を備えることを特徴とする。
【発明の効果】
【００１３】
本発明の構成によれば、扉の内面に対して容器（トレイ）の取り付けを正確且つ容易に行うことができ、多種多様な貯蔵物を収納することが可能な冷蔵庫を提供することができる。
【図面の簡単な説明】
【００１４】
【図１】本発明の第１実施形態の冷蔵庫の斜視図である。
【図２】本発明の第１実施形態の冷蔵庫の扉の内面に設けられた収納部のフレーム部の斜視図である。
【図３】本発明の第１実施形態の冷蔵庫の扉の内面に設けられた収納部のトレイ（大サイズ、スリットなし）の斜視図である。
【図４】本発明の第１実施形態の冷蔵庫の扉の内面に設けられた収納部のトレイ（大サイズ、スリット有り）の斜視図である。
【図５】本発明の第１実施形態の冷蔵庫の扉の内面に設けられた収納部のトレイ（小サイズ、スリットなし）の斜視図である。
【図６】本発明の第１実施形態の冷蔵庫の扉の内面に設けられた収納部のトレイ（小サイズ、スリット有り）の斜視図である。
【図７】本発明の第１実施形態の冷蔵庫の扉の内面に設けられた収納部のトレイの斜視図にして、野菜室に収納した状態を示すものである。
【図８】本発明の第２実施形態の冷蔵庫の扉の内面に設けられた収納部の副トレイ（大サイズ、スリットなし）の斜視図である。
【図９】本発明の第２実施形態の冷蔵庫の扉の内面に設けられた収納部の副トレイ（大サイズ、スリット有り）の斜視図である。
【図１０】本発明の第２実施形態の冷蔵庫の扉の内面に設けられた収納部の副トレイ（小サイズ、スリットなし）の斜視図である。
【図１１】本発明の第２実施形態の冷蔵庫の扉の内面に設けられた収納部の副トレイ（小サイズ、スリット有り）の斜視図である。
【図１２】本発明の第２実施形態の冷蔵庫の扉の内面に設けられた収納部の主トレイ（大サイズ、スリットなし）及び副トレイ（大サイズ、スリット有り）の斜視図である。
【図１３】本発明の第２実施形態の冷蔵庫の扉の内面に設けられた収納部の主トレイ（小サイズ、スリット有り）及び副トレイ（小サイズ、スリットなし）の斜視図である。
【図１４】本発明の第２実施形態の冷蔵庫の扉の内面に設けられた収納部の主トレイと副トレイとの重ね合わせ方法を示す斜視図である。
【図１５】本発明の第２実施形態の冷蔵庫の扉の内面に設けられた収納部の副トレイとしての卵ホルダの斜視図である。
【図１６】本発明の第３実施形態の冷蔵庫の扉の内面に設けられた収納部の主トレイ及び副トレイの斜視図である。
【発明を実施するための形態】
【００１５】
以下、本発明の実施形態を図１〜図１６に基づき説明する。
【００１６】
＜第１実施形態＞
最初に、本発明の第１実施形態の冷蔵庫について、図１を用いてその構造の概略を説明する。図１は冷蔵庫の斜視図にして、上扉等を開放した状態を示すものである。なお、図１の紙面奥行き方向手前側を冷蔵庫の正面（前方）とし、紙面奥行き方向奥側を冷蔵庫の背面（後方）として説明する。
【００１７】
冷蔵庫１は、図１に示すように断熱構造の本体筐体２を備える。本体筐体２はその内部に、食品等の貯蔵物を冷蔵保存する冷蔵室３を上段に備え、貯蔵物を冷凍保存する冷凍室４を中段に備え、貯蔵物としての野菜等を保存する野菜室５を下段に備える。冷蔵室３、冷凍室４及び野菜室５の各々の間は仕切り部６によって仕切られる。
【００１８】
冷蔵室３、冷凍室４及び野菜室５の前面は各々別個の断熱構造の扉３ａ、４ａ、５ａによって開閉される。冷蔵室３の扉３ａはその横方向の一端に設けられた垂直方向に延びる支軸部を中心として水平面内で回転する片開きの回動式で構成される。冷凍室４及び野菜室５の扉４ａ、５ａは各室の内側面に設けられたスライドガイドによって水平に移動するスライド式で構成される。
【００１９】
冷蔵室３の扉３ａはその内面に貯蔵物を収納する収納部１０を備える。収納部１０は、例えばペットボトルやビンなどのボトル品や缶類、マヨネーズ等のチューブ品、鶏卵等の貯蔵物を収納する。
【００２０】
収納部１０はその最下段にポケット１１を備える。ポケット１１は上面が開口した箱体で外形が形成される。また、収納部１０はその上段及び中段の２箇所にフレーム部１２と、複数のトレイ２０と、を備える。
【００２１】
続いて、収納部１０の詳細な構成について、図１に加えて、図２〜図７を用いて説明する。図２は冷蔵室３の扉３ａの内面に設けられた収納部１０のフレーム部１２の斜視図である。図３〜図６は各々、収納部１０のトレイの斜視図である。図７はトレイの斜視図にして、トレイを野菜室５に収納した状態を示すものである。なお、図７は本体筐体２等の描画を省略している。
【００２２】
収納部１０は、図１に示すように側壁部１３を備える。側壁部１３は収納部１０の左右の端部に設けられ、冷蔵室３の内側に向かって延び、且つ上下方向に延びる。
【００２３】
フレーム１２は扉３ａの内面、及び収納部１０の左右の側壁部１３に接合される。フレーム１２は、図２に示すように上下方向に貫通する２箇所の大孔部１２ａ、小孔部１２ｂを有する。大孔部１２ａ及び小孔部１２ｂはともに、上方から見て角部を丸めた平面視矩形をなし、冷蔵室３の奥行き方向の長さが同じである。そして、大孔部１２ａの横方向の長さは小孔部１２ｂの横方向の長さよりも長い。なお、大孔部１２ａ、小孔部１２ｂはフレーム１２に３箇所以上設けても良いし、同じ大きさの孔にしても良いし、矩形以外の形状であっても良い。
【００２４】
トレイ２０はフレーム１２の大孔部１２ａまたは小孔部１２ｂに嵌合して支持されるとともに、フレーム１２に対して着脱が可能である。トレイ２０としては、図３〜図５に示すように大孔部１２ａに嵌合する深型トレイ２１（図３参照）及び深型トレイ２２（図４参照）と、小孔部１２ｂに嵌合する深型トレイ２３（図５参照）及び深型トレイ２４（図６参照）とを有する。
【００２５】
深型トレイ２１、２２、２３、２４は上面が開口した箱体で外形が形成される。深型トレイ２１、２２、２３、２４の各々の下部は大孔部１２ａまたは小孔部１２ｂに嵌合するよう上方から見て角部を丸めた平面視矩形をなす。上方から見て、深型トレイ２１、２２は深型トレイ２３、２４よりもサイズが大きい。深型トレイ２２及び深型トレイ２４は各々、底部に液体や空気が流通するスリット２２ａ、２４ａを複数備える。
【００２６】
深型トレイ２１、２２、２３、２４は各々、上縁にフレーム１２と係合するための係合部２１ｂ、２２ｂ、２３ｂ、２４ｂを備える。係合部２１ｂ、２２ｂ、２３ｂ、２４ｂは深型トレイ２１、２２、２３、２４各々の本体部の上縁から横方向外側に向かって突出するフランジ形状をなす。深型トレイ２１、２２、２３、２４は各々、上方から大孔部１２ａまたは小孔部１２ｂに挿入すると、大孔部１２ａまたは小孔部１２ｂの上縁部に係合部２１ｂ、２２ｂ、２３ｂ、２４ｂが係合する。これにより、深型トレイ２１、２２、２３、２４のフレーム１２からの落下が防止される。
【００２７】
また、深型トレイ２１、２２、２３、２４はフレーム１２から取り外して、図７に示すように野菜室５の内部に収納することができる（図７には代表としての深型トレイ２２のみ描画している）。なお、深型トレイ２１、２２、２３、２４は冷蔵室３の内部や冷凍室４の内部に収納することも可能である。さらに、深型トレイ２１、２２、２３、２４はフレーム１２から取り外して、食卓やキッチンカウンター、その他テーブルの上などに載置することも可能である。
【００２８】
＜第２実施形態＞
次に、本発明の第２実施形態の冷蔵庫について、図８〜図１５を用いて説明する。図８〜図１１は冷蔵室の扉の内面に設けられた収納部の副トレイの斜視図である。図１２〜図１４は収納部の主トレイ及び副トレイの斜視図である。図１５は収納部の副トレイとしての卵ホルダの斜視図である。なお、この実施形態の基本的な構成は先に説明した第１実施形態と同じであるので、第１実施形態と共通する構成要素には前と同じ符号を付してその説明を省略するものとする。
【００２９】
第２実施形態の冷蔵庫１は、図１に示すトレイ２０が第１実施形態で説明した深型トレイ２１、２２、２３、２４としての主トレイと、図８〜図１１に示す副トレイである浅型トレイ２５、２６、２７、２８とを含む。
【００３０】
浅型トレイ２５、２６、２７、２８は上面が開口した箱体で外形が形成され、上方から見て角部を丸めた平面視矩形をなす。浅型トレイ２５、２６、２７、２８の高さは深型トレイ２１、２２、２３、２４の高さよりも低い。浅型トレイ２６、２８は各々、底部に液体や空気が流通するスリット２６ａ、２８ａを複数備える。
【００３１】
浅型トレイ２５、２６は、図１２に示すように深型トレイ２１、２２の上方に重ねて取り付けられる（図１２では代表として深型トレイ２１及び浅型トレイ２６を描画している）。浅型トレイ２７、２８は、図１３に示すように深型トレイ２３、２４の上方に重ねて取り付けられる（図１３では代表として深型トレイ２４及び浅型トレイ２７を描画している）。すなわち、上方から見て、浅型トレイ２５、２６は浅型トレイ２７、２８よりもサイズが大きい。
【００３２】
図１２に示すように、深型トレイ２１の上方に浅型トレイ２６を重ねて取り付けると、浅型トレイ２６のスリット２６ａから深型トレイ２１の内部に冷気が流入する。これにより、深型トレイ２１の内部に収納された貯蔵物の冷却速度が速くなる。さらに、扉３ａの開閉に起因する深型トレイ２１の内部の貯蔵物の温度上昇を抑制することが可能になる。
【００３３】
主トレイと副トレイとの重ね合わせについて深型トレイ２４及び浅型トレイ２７を用いて説明すると、図１４に示すように、副トレイである浅型トレイ２７を支持するための支持部２４ｃが主トレイである深型トレイ２４の上部に設けられる。
【００３４】
支持部２４ｃは深型トレイ２４の開口の上縁を取り囲むように形成される。支持部２４ｃは浅型トレイ２７の下部を収容可能な形状、大きさをなす。支持部２４ｃは浅型トレイ２７の外底面の角部を支持する所定高さの段差として形成され、浅型トレイ２７の下部が嵌合する。支持部２４ｃは浅型トレイ２７の外底面を下方から支持するとともに、浅型トレイ２７の横方向への移動を阻止する。支持部２４ｃは深型トレイ２４の本体部の上縁から横方向外側に向かって突出するフランジ部の上方に形成される。すなわち、深型トレイ２４は上方からフレーム１２の小孔部１２ｂ（図２参照）に挿入すると、小孔部１２ｂの上縁部に支持部２４ｃが係合する。これにより、深型トレイ２４のフレーム１２からの落下が防止される。
【００３５】
なお、支持部２４ｃと同様の支持部は浅型トレイ２５、２６または浅型トレイ２７、２８を支持するために深型トレイ２１、２２、２３にも設けられる。
【００３６】
浅型トレイ２５、２６または浅型トレイ２７、２８は深型トレイ２１、２２または深型トレイ２３、２４から取り外して、冷蔵室３の内部や冷凍室４の内部、野菜室５の内部に収納することができる。さらに、浅型トレイ２５、２６または浅型トレイ２７、２８は深型トレイ２１、２２または深型トレイ２３、２４から取り外して、食卓やキッチンカウンター、その他テーブルの上などに載置することも可能である。
【００３７】
また、副トレイとしては、図１５に示すように貯蔵物としての鶏卵を保持するために形成された複数の円形穴２９ａが設けられた卵ホルダ２９も備える。卵ホルダ２６は深型トレイ２１、２２または深型トレイ２３、２４の内底部に設置される。
【００３８】
卵ホルダ２９は通常、鶏卵を保持する場合に、図１５に示すように円形穴２９ａが設けられた面が上面となるように深型トレイ２１、２２または深型トレイ２３、２４に設置される。一方、この卵ホルダ２９を裏返して深型トレイ２１、２２または深型トレイ２３、２４に設置すると、わさびやからし等の薬味入りのチューブ品を円形穴２９ａに通して立て掛けることができる。
【００３９】
＜第３実施形態＞
次に、本発明の第３実施形態の冷蔵庫について、図１６を用いて説明する。図１６は冷蔵室の扉の内面に設けられた収納部の主トレイ及び副トレイの斜視図である。なお、この実施形態の基本的な構成は先に説明した第１及び第２実施形態と同じであるので、それら実施形態と共通する構成要素には前と同じ符号を付してその説明を省略するものとする。
【００４０】
第３実施形態の冷蔵庫１は、第１及び第２実施形態で説明した図１に示すトレイ２０が主トレイである深型トレイ２１、２２、２３、２４と、副トレイである浅型トレイ２５、２６、２７、２８とを含む。
【００４１】
浅型トレイ２５、２６または浅型トレイ２７、２８は、図１６に示すように深型トレイ２１、２２または深型トレイ２３、２４の上方に重ねて取り付けられる（図１６では代表として深型トレイ２１及び浅型トレイ２５を描画している）。このとき、図１６によれば、浅型トレイ２５は裏返されて、浅型トレイ２５の本来の外底面２５ｄが上方を向く状態で深型トレイ２１の上にかぶせられる。深型トレイ２１の上部は浅型トレイ２５の内側に収容される。
【００４２】
この構成によれば、深型トレイ２１の内部に収納された貯蔵物に冷気が直接当たらないようにすることができる。したがって、深型トレイ２１の内部に収納された貯蔵物の乾燥を抑制することが可能である。
【００４３】
上記のように、冷蔵庫１には貯蔵室である冷蔵室３の前面を開閉する扉３ａの内面に貯蔵物を収納する収納部１０が設けられる。そして、収納部１０が、上下方向に貫通する大孔部１２ａ及び小孔部１２ｂを有するフレーム部１２と、フレーム部１２の大孔部１２ａ及び小孔部１２ｂに嵌合してフレーム部１２によって支持されるとともにフレーム部１２に対して着脱可能な深型トレイ２１、２２、２３、２４と、を備える。
【００４４】
この構成によれば、深型トレイ２１、２２、２３、２４が扉３ａの内面に固定されておらず、扉３ａから取り外すことができる。したがって、それらトレイ自体が貯蔵物の収納の邪魔になることを防止することができ、所望の貯蔵物を扉３ａの内面に収納することが可能である。
【００４５】
さらに、深型トレイ２１、２２、２３、２４は扉３ａから取り外すと、冷蔵室３や冷凍室４、野菜室５に収納することができ、さらに食卓やキッチンカウンター、その他テーブルの上などに載置することも可能である。すなわち、例えばトレイ大２１等に収納されたマヨネーズやドレッシング等をまとめて収納部１０から取り出して食卓に並べることができる。したがって、収納部１０の貯蔵品の取り出しや片づけが簡便になり、冷蔵庫１の使い勝手がより一層向上する。
【００４６】
また、深型トレイ２１、２２、２３、２４は大孔部１２ａまたは小孔部１２ｂに挿入するだけで、容易にフレーム部１２と係合させることができる。したがって、深型トレイ２１、２２、２３、２４の扉３ａへの取り付けが簡単になるとともに、正確に取り付けることが可能になる。そして、深型トレイ２１、２２、２３、２４の落下を防止することができる。
【００４７】
そして、深型トレイ２１、２２、２３、２４は各々、フレーム部１２と係合するための係合部２１ｂ、２２ｂ、２３ｂ、２４ｂを備える。
【００４８】
この構成によれば、深型トレイ２１、２２、２３、２４は各々、フレーム部１２に対して係合部２１ｂ、２２ｂ、２３ｂ、２４ｂによって係止される。したがって、深型トレイ２１、２２、２３、２４のフレーム１２からの落下を防止することが可能である。
【００４９】
また、トレイ２０はフレーム部１２の大孔部１２ａまたは小孔部１２ｂに嵌合する主トレイである深型トレイ２１、２２、２３、２４と、主トレイに重ねて取り付けられる副トレイである浅型トレイ２５、２６、２７、２８及び卵ホルダ２９と、を含む。
【００５０】
この構成によれば、収納部１０に対する貯蔵品の収納の自由度が高まる。したがって、多種多様な形状、大きさの貯蔵品を効率的に収納することが可能である。
【００５１】
また、主トレイである深型トレイ２１、２２、２３、２４は副トレイである浅型トレイ２５、２６、２７、２８を支持するための支持部を有するとともに、支持部を介してフレーム部１２と係合する。
【００５２】
この構成によれば、浅型トレイ２５、２６または浅型トレイ２７、２８は深型トレイ２１、２２または深型トレイ２３、２４に対して支持部によって支持される。したがって、浅型トレイ２５、２６または浅型トレイ２７、２８の深型トレイ２１、２２または深型トレイ２３、２４からの落下を防止することが可能である。さらに、深型トレイ２１、２２、２３、２４は各々、フレーム部１２に対して支持部によって係止される。したがって、深型トレイ２１、２２、２３、２４のフレーム１２からの落下を防止することが可能である。
【００５３】
また、副トレイとして、貯蔵物としての鶏卵を保持するために形成された複数の円形穴２９ａが設けられた卵ホルダ２９を備える。この構成によれば、鶏卵を容易に収納することができ、さらに鶏卵をしっかりと保持することが可能である。さらに、卵ホルダ２９の深型トレイへの重ね方を変えると、卵ホルダ２９をわさびやからし等の薬味入りのチューブ品のスタンドとして応用することが可能である。
【００５４】
そして、本発明の上記実施形態の構成によれば、冷蔵室３の扉３ａの内面に対してトレイ２０の取り付けを正確且つ容易に行うことができ、多種多様な貯蔵物を収納することが可能な冷蔵庫１を提供することができる。
【００５５】
以上、本発明の実施形態につき説明したが、本発明の範囲はこれに限定されるものではなく、発明の主旨を逸脱しない範囲で種々の変更を加えて実施することができる。
【００５６】
例えば、上記実施形態で説明した冷蔵庫１は貯蔵室として冷蔵室３、冷凍室４及び野菜室５を各々１個ずつ備えるものとしたが、貯蔵室を４個以上備える冷蔵庫であっても良い。また、冷蔵室３の扉３ａは片開き式に回動することとしたが、観音開き式に回動する構成であっても良い。
【産業上の利用可能性】
【００５７】
本発明は冷蔵庫において利用可能である。
【符号の説明】
【００５８】
１    冷蔵庫
３    冷蔵室（貯蔵室）
３ａ、４ａ、５ａ    扉
４    冷凍室
５    野菜室
１０    収納部
１２    フレーム部
１２ａ    大孔部（孔部）
１２ｂ    小孔部（孔部）
１３    側壁部
２０    トレイ
２１、２２、２３、２４    深型トレイ（主トレイ）
２１ｂ、２２ｂ、２３ｂ、２４ｂ    係合部
２４ｃ    支持部
２５、２６、２７、２８    浅型トレイ（副トレイ）
２９    卵ホルダ（副トレイ）
【図１】
2016050698.tif 000003
【図２】
2016050698.tif 000004
【図３】
2016050698.tif 000005
【図４】
2016050698.tif 000006
【図５】
2016050698.tif 000007
【図６】
2016050698.tif 000008
【図７】
2016050698.tif 000009
【図８】
2016050698.tif 000010
【図９】
2016050698.tif 000011
【図１０】
2016050698.tif 000012
【図１１】
2016050698.tif 000013
【図１２】
2016050698.tif 000014
【図１３】
2016050698.tif 000015
【図１４】
2016050698.tif 000016
【図１５】
2016050698.tif 000017
【図１６】
2016050698.tif 000018